(57)【特許請求の範囲】
【請求項１】
流体通路及び弁座を形成しているハウジングと、
前記弁座に着座すると前記流体通路を閉塞し、前記弁座から離座すると前記流体通路を開放する制御弁部材と、
前記制御弁部材の移動方向と同方向に移動するアーマチュアと、
前記アーマチュアを弁開方向に吸引するステータと、
前記ステータに電磁吸引力を発生させるコイルと、
前記ハウジングに当接している受圧手段と、
前記ハウジングに係止され前記受圧手段に当接し前記ハウジングに前記受圧手段を押し付けている固定手段と、
前記固定手段及び前記ハウジングから前記受圧手段に作用する外力を前記ステータに伝達することなしに前記受圧手段に前記ステータを係止する係止手段と、
を備えることを特徴とする電磁弁。
【請求項２】
流体通路及び弁座を形成しているハウジングと、
前記弁座に着座すると前記流体通路を閉塞し、前記弁座から離座すると前記流体通路を開放する制御弁部材と、
前記制御弁部材の移動方向と同方向に移動するアーマチュアと、前記アーマチュアを弁開方向に吸引するステータと、
前記ステータに電磁吸引力を発生させるコイルと、
前記ハウジングに当接している受圧手段と、前記ハウジングに係止され前記受圧手段に当接し前記ハウジングに前記受圧手段を押し付けている固定手段と、
前記受圧手段の固定手段当接面より反ハウジング当接面側に前記受圧手段と一体に形成され、前記ステータが係止される凹部を形成している挟持部材を有し、前記固定手段及び前記ハウジングから前記受圧手段に作用する外力を前記ステータに伝達することなしに前記受圧手段に前記ステータを係止する係止手段と、
を備えることを特徴とする電磁弁。
【請求項３】
前記受圧手段は、前記挟持部材の弁座側に前記挟持部材と一体に形成され、前記ハウジング及び固定手段によって挟持される位置決めフランジが形成されている筒体を有することを特徴とする請求項２記載の電磁弁。
【請求項４】
前記ステータは弁座側に近づくに従い外径が小さくなるテーパ部を形成し、
前記挟持部材は、反弁座側縁部が径方向内側に折り曲げられている筒体であって、内壁に前記弁座に近づくに従い縮径し前記テーパ部に当接している円錐傾斜面を形成していることを特徴とする請求項２又は３記載の電磁弁。
【請求項５】
前記係止手段は、前記アーマチュア又は制御弁部材に当接可能な筒状のストッパ部材であって、前記ステータとともに前記挟持部に係止される緩衝フランジが反アーマチュア側に形成されているストッパ部材を有し、
前記ステータは、前記ストッパ部材の径方向外側に環状に設けられ反アーマチュア側端面が前記緩衝フランジに当接していることを特徴とする請求項２、３又は４記載の電磁弁。
【請求項６】
噴孔を開閉するノズル弁部材と、
前記ノズル弁部材を往復移動自在に支持し、前記ノズル弁部材に噴孔閉塞方向に燃料圧力を加える圧力室が形成されているノズル本体と、
前記圧力室から燃料を導出する流体通路及び弁座が形成されているハウジングと、
弁座に着座すると前記流体通路を閉塞し、前記弁座から離座すると前記流体通路を開放する制御弁部材と、
前記制御弁部材の移動方向と同方向に移動するアーマチュアと、
前記アーマチュアを弁開方向に吸引するステータと、
前記ステータに電磁吸引力を発生させるコイルと、
前記ノズル本体に当接している受圧手段と、
前記ノズル本体に係止され前記受圧手段に当接し前記ノズル本体に前記受圧手段を押し付けている固定手段と、
前記固定手段及び前記ノズル本体から前記受圧手段に作用する外力を前記ステータに伝達することなしに前記受圧手段に前記ステータを係止する係止手段と、
を備えることを特徴とする燃料噴射装置。
【請求項７】
噴孔を開閉するノズル弁部材と、
前記ノズル弁部材を往復移動自在に支持し、前記ノズル弁部材に噴孔閉塞方向に燃料圧力を加える圧力室が形成されているノズル本体と、
前記圧力室から燃料を導出する流体通路及び弁座が形成されているハウジングと、
弁座に着座すると前記流体通路を閉塞し、前記弁座から離座すると前記流体通路を開放する制御弁部材と、
前記制御弁部材の移動方向と同方向に移動するアーマチュアと、
前記アーマチュアを弁開方向に吸引するステータと、
前記ステータに電磁吸引力を発生させるコイルと、
前記ノズル本体に当接している受圧手段と、
前記ノズル本体に係止され前記受圧手段に当接し前記ノズル本体に前記受圧手段を押し付けている固定手段と、
前記受圧手段の固定手段当接面より反ノズル本体当接面側に前記受圧手段と一体に形成され、前記ステータが係止される凹部を形成している挟持部材を有し、前記固定手段及び前記ノズル本体から前記受圧手段に作用する外力を前記ステータに伝達することなしに前記受圧手段に前記ステータを係止する係止手段と、
を備えることを特徴とする燃料噴射装置。
【請求項８】
前記受圧手段は、前記挟持部材の弁座側に前記挟持部材と一体に形成され、前記ノズル本体及び固定手段によって挟持される位置決めフランジが形成されている筒体を有することを特徴とする請求項７記載の燃料噴射装置。
【請求項９】
前記ステータは弁座側に近づくに従い外径が小さくなるテーパ部を形成し、
前記挟持部材は、反弁座側縁部が径方向内側に折り曲げられている筒体であって、内壁に前記弁座に近づくに従い縮径し前記テーパ部に当接している円錐傾斜面を形成していることを特徴とする請求項７又は８記載の燃料噴射装置。
【請求項１０】
前記係止手段は、前記アーマチュア又は制御弁部材に当接可能な筒状のストッパ部材であって、前記ステータとともに前記挟持部材に係止される緩衝フランジが反アーマチュア側に形成されているストッパ部材を有し、
前記ステータは、前記ストッパ部材の径方向外側に環状に設けられ反アーマチュア側端面が前記緩衝フランジに当接していることを特徴とする請求項７、８又は９記載の燃料噴射装置。
【発明の詳細な説明】
【０００１】
【発明の属する技術分野】
本発明は電磁弁及びそれを用いた燃料噴射装置に関する。
【０００２】
【従来の技術】
従来、電磁弁は内燃機関の燃料噴射装置等に幅広く用いられている。一般に、電磁弁は、流体通路が形成されているハウジングに対して位置決めされたステータにアーマチュアが吸引されることにより、アーマチュアと一体に移動する弁部材が弁孔を開放する。ステータをハウジングに対して位置決めすると弁部材の最大リフト量が決まる。このような電磁弁には、例えば特開平１０−１２２０８６号公報に開示されているような電磁弁が知られている。図６に燃料噴射装置に用いられている従来の電磁弁の一例を示す。この電磁弁は燃料噴射ノズル（以下、インジェクタという。）のホルダボディ１１３に固定されているものである。制御弁部材１０６は、アーマチュア１０５に圧入固定されている。制御弁部材１０６は、軸受け１１０に往復移動自在に支持され、アーマチュア１０５がステータ１０４に吸引されることによりプレート１１１に形成されている弁孔１０８を開放する。軸受け１１０がホルダボディ１１３にねじ込まれていることにより、プレート１１１及びプレート１１２はホルダボディ１１３と軸受け１１０とに挟持されている。ステータ１０４は、Ａ、Ｂの部位においてケース１１４に溶接されている。リテーニングナット１０２がホルダボディ１１３の筒状ねじ部１０７にねじ締めされることによりエンドボディ１０１とプレート１１０とによってケース１１４及びスペーサ１０９が挟持され、ステータ１０４が軸受け１１１に対して位置決めされている。これによりステータ１０４と弁孔１０８との間隔が固定され、制御弁部材１０６の最大リフト量が設定されている。
【０００３】
【発明が解決しようとする課題】
しかし、図６に示す電磁弁によると、ステータ１０４をプレート１１１に対して位置決めするためには、ケース１１４とステータ１０４とを溶接しなければならない。したがって、ステータ１０４は耐熱性の高い部材でなければならない。一方、ステータ１０４の熱的な負荷をさけるため、エンドボディ１０１及びスペーサ１０９に直接ステータ１０４を当接させてステータ１０４を位置決めするとすれば、ステータ１０４にはリテーニングナット１０２を締め付けることによる圧縮応力が作用することになる。したがって、この場合には、ステータ１０４は適度な粘りと堅さを兼ね備えた部材でなければならない。このように、従来の電磁弁によると、ステータに用いることのできる素材が限定されることからステータの吸引力を向上させるにあたって不利であり、また、熱的な負荷又は圧縮応力によるステータの変形、破損の恐れがあった。
【０００４】
本発明は、上記の問題を解決するために創作されたものであって、ステータに作用する荷重を低減する電磁弁及びそれを用いた燃料噴射装置を提供することを目的とする。
また、本発明の別の目的は、ステータとして用いうる素材の種類を広げる電磁弁及びそれを用いた燃料噴射装置を提供することを目的とする。
【０００５】
【課題を解決するための手段】
本発明の請求項１記載の電磁弁によると、ステータを係止手段によって受圧手段に係止し、受圧手段を固定手段によってハウジングに押しつけることによってステータをハウジングに対して位置決めする。係止手段は、固定手段及びハウジングから受圧手段に作用する外力をステータに伝達することなしに受圧手段にステータを係止する。したがって、本発明の請求項１記載の電磁弁によると、ステータの組み付け時においてステータを位置決めして最大リフト量を設定するためにある種の外力を固定手段に加えてハウジングの所定位置に固定手段を係止した場合に、その外力によって受圧手段がハウジングに対して位置決めされる一方で、その外力が受圧手段から係止手段を介してステータに伝達されないため、ステータにかかる静的な荷重を低減することができる。尚、受圧手段は一部材であってもよく、またスペーサ等を有する多部材からなるものであってもよい。
【０００６】
本発明の請求項２記載の電磁弁によると、係止手段は、ステータが係止される凹部を形成している挟持部材を有し、この挟持部材は、受圧手段の固定手段当接面より反ハウジング当接面側に受圧手段と一体に形成されている。ステータの組み付け時、受圧手段には固定手段当接面及びハウジング当接面に荷重がかかり、これにより受圧手段に圧縮応力が発生する。この圧縮応力により受圧手段が歪むとき、挟持部材は固定手段当接面より反ハウジング当接面側、すなわち受圧手段が固定手段から受ける外力の作用点よりその外力が作用する方向の反対側に設けられているため、挟持部材に荷重がかかることはない。したがって、ハウジングに受圧手段を押し付けてステータを位置決めすることによっては挟持部材の凹部に係止されるステータに静的な荷重がかからない。これにより、比較的低靱性の素材をステータに用いることができる。
【０００７】
本発明の請求項３記載の電磁弁によると、受圧手段は、挟持部材の弁座側に挟持部材と一体に形成される筒体を有し、この筒体にハウジング及び固定手段によって挟持される位置決めフランジが形成されている。位置決めフランジがハウジング及び固定手段によって挟持されることにより固定手段に係止されたステータがハウジングに対して位置決めされる。尚、位置決めフランジは固定手段及びハウジングに対して直接当接して挟持されるものであってもよく、スペーサ等の別部材を挟んで間接的に挟持されるものであってもよい。
【０００８】
本発明の請求項４記載の電磁弁によると、ステータは弁座側に近づくに従い外径が小さくなるテーパ部を形成している。挟持部材は、反弁座側縁部が径方向内側に折り曲げられている筒体であって、内壁に弁座に近づくに従い縮径しテーパ部に当接している円錐傾斜面を形成している。例えば、筒体の反弁座側縁部を塑性変形させることによって挟持部材に凹部を形成するとともに、この凹部にステータを係止することができる。したがって、溶接等の高熱処理を施すことなくステータをハウジングに対して位置決めすることができる。これにより、耐熱性の低い素材をステータに用いることができる。また、ステータはテーパ部において円錐傾斜面に当接しているため、例えば、筒体の反弁座側縁部が塑性変形することによってステータが円錐傾斜面に押しつけられて位置決めされている状態において、ステータの特定部位に応力が集中することを防止できる。
【０００９】
本発明の請求項５記載の電磁弁によると、係止手段のストッパ部材は、アーマチュア又は制御弁部材に当接可能な筒体である。ストッパ部材には、ステータとともに挟持部に係止される緩衝フランジが反アーマチュア側に形成されている。ステータは、ストッパ部材の径方向外側に環状に設けられ反アーマチュア側端面が緩衝フランジに当接している。緩衝フランジを介してステータを挟持部材に押し当てることによりステータをハウジングに対して位置決めすることができる。したがって、ステータとストッパとを相互に固定することなくステータをハウジングに対して位置決めすることができる。また、制御弁部材がストッパ部材に衝突することによって制御弁部材の最大リフト量が規制される。ステータとストッパとを互いに固定する必要がないため、ストッパ部材に生ずる衝撃荷重がステータに伝達しない構成を採用することができる。したがって、比較的低靱性の素材をステータに用いることができる。
【００１０】
本発明の請求項６記載の燃料噴射装置によると、ステータを係止手段によって受圧手段に係止し、受圧手段を固定手段によってノズル本体に押しつけることによってステータをノズル本体に対して位置決めする。係止手段は、固定手段及びノズル本体から受圧手段に作用する外力をステータに伝達することなしに受圧手段にステータを係止する。したがって、本発明の請求項６記載の燃料噴射装置によると、ステータの組み付け時においてステータを位置決めして最大リフト量を設定するためにある種の外力を固定手段に加えてノズル本体の所定位置に固定手段を係止した場合に、その外力によって受圧手段がノズル本体に対して位置決めされる一方で、その外力が受圧手段から係止手段を介してステータに伝達されないため、ステータにかかる静的な荷重を低減することができる。
【００１１】
本発明の請求項７記載の燃料噴射装置によると、係止手段は、ステータが係止される凹部を形成している挟持部材を有し、この挟持部材は、受圧手段の固定手段当接面より反ノズル本体当接面側に受圧手段と一体に形成されている。ステータの組み付け時、受圧手段には固定手段当接面及びノズル本体当接面に荷重がかかり、これにより受圧手段に圧縮応力が発生する。この圧縮応力により受圧手段が歪むとき、挟持部材は固定手段当接面より反ノズル本体当接面側、すなわち受圧手段が固定手段から受ける外力の作用点よりその外力が作用する方向の反対側に設けられているため、挟持部材に荷重がかかることはない。したがって、ノズル本体に受圧手段を押し付けてステータを位置決めした状態において、挟持部材の凹部に係止されるステータに静的な荷重がかからない。これにより、比較的低靱性の素材をステータに用いることができる。
【００１２】
本発明の請求項８記載の燃料噴射装置によると、受圧手段は、挟持部材の弁座側に挟持部材と一体に形成される筒体を有し、この筒体にノズル本体及び固定手段によって挟持される位置決めフランジが形成されている。位置決めフランジがノズル本体及び固定手段によって挟持されることにより固定手段に係止されたステータがハウジングに対して位置決めされる。
【００１３】
本発明の請求項９記載の燃料噴射装置によると、ステータは弁座側に近づくに従い外径が小さくなるテーパ部を形成している。挟持部材は、反弁座側縁部が径方向内側に折り曲げられている筒体であって、内壁に弁座に近づくに従い縮径しテーパ部に当接している円錐傾斜面を形成している。例えば、筒体の反弁座側縁部を塑性変形させることによって挟持部材に凹部を形成するとともに、この凹部にステータを係止することができる。したがって、溶接等の高熱処理を施すことなくステータをノズル本体に対して位置決めすることができる。これにより、耐熱性の低い素材をステータに用いることができる。また、ステータはテーパ部において円錐傾斜面に当接しているため、例えば、筒体の反弁座側縁部が塑性変形することによってステータが円錐傾斜面に押しつけられて位置決めされている状態において、ステータの特定部位に応力が集中することを防止できる。
【００１４】
本発明の請求項１０記載の燃料噴射装置によると、係止手段のストッパ部材は、アーマチュア又は制御弁部材に当接可能な筒体である。ストッパ部材には、ステータとともに挟持部に係止される緩衝フランジが反アーマチュア側に形成されている。ステータは、ストッパ部材の径方向外側に環状に設けられ反アーマチュア側端面が緩衝フランジに当接している。緩衝フランジを介してステータを挟持部材に押し当てることによりステータをノズル本体に対して位置決めすることができる。したがって、ステータとストッパとを相互に固定することなくステータをノズル本体に対して位置決めすることができる。また、制御弁部材はストッパ部材に衝突することによって制御弁部材の最大リフト量が規制される。ステータとストッパとを互いに固定する必要がないため、ストッパ部材に生ずる衝撃荷重がステータに伝達しない構成を採用することができる。したがって、比較的低靱性の素材をステータに用いることができる。
【００１５】
【発明の実施の形態】
以下、本発明の実施の形態を具体的に示す一実施例を図面に基づいて説明する。
本発明の一実施例による燃料噴射装置としてのインジェクタ１を図２に示す。インジェクタ１は図示しないエンジンのエンジンヘッドに挿入搭載され、エンジンの各気筒内に燃料を直接噴射するように構成されている。
【００１６】
ホルダボディ１１とノズルボディ１２とはリテーニングナット１４で締結されている。ホルダボディ１１及びノズルボディ１２は、特許請求の範囲に記載されたノズル本体を構成している。ホルダボディ１１にはニードル収納孔１１ｄが形成され、ノズルボディ１２にはニードル収納孔１２ｅが形成されている。ニードル収納孔１１ｄ、１２ｅにはノズル弁部材２０が収納されている。
【００１７】
ホルダボディ１１のインレット部１１ｆには燃料流入通路１１ａが形成され、燃料流入通路１１ａにはバーフィルタ１３が収納されている。燃料流入通路１１ａは燃料通路１１ｂを通じてノズルボディ１２に形成されている燃料通路１２ｄと連通している。燃料通路１２ｄは燃料溜まり１２ｃにおいてニードル収納孔１２ｅと連通している。ニードル収納孔１２ｅは噴孔１２ｂを通じて図示しないエンジンの気筒内空間に連通している。従って、図示しない燃料ポンプによって供給される燃料は、バーフィルタ１３を通じてインジェクタ１の内部に導入され、燃料流入通路１１ａ、燃料通路１１ｂ、１２ｄ、燃料溜まり１２ｃ、ニードル収納孔１２ｅ、噴孔１２ｂを通じてエンジンの各気筒に至る。また、ホルダボディ１１にはニードル収納孔１１ｄに連通しているリーク通路１１ｃが形成されている。
【００１８】
ノズル弁部材２０は、噴孔１２ｂ側からニードル２０ｃ、ロッド２０ｂ及び制御ピストン２０ａにより構成されている。
ニードル２０ｃは噴孔１２ｂ側からシート部、小径部、テーパ部、大径部により構成されている。大径部はニードル収納孔１２ｅの内壁に往復移動自在にかつほぼ液密に支持されている。テーパ部は燃料溜まり１２ｃの燃料から図２の上向きに圧力を受けるように形成されている。小径部の外壁とニードル収納孔１２ｅの内壁との間に周方向の隙間が形成されている。シート部は弁座１２ａに着座可能な形状である。ロッド２０ｂは一方の端部がニードル２０ｃに当接し、他方の端部が制御ピストン２０ａに当接している。ロッド２０ｂの周囲に第一スプリング１５が設けられ、第一スプリング１５はロッド２０ｂを介してニードル２０ｃを弁座１２ａに付勢している。制御ピストン２０ａはニードル収納孔１１ｄの内壁に往復移動自在にかつほぼ液密に支持されている。
【００１９】
インジェクタ１の電磁弁に係る部分を示す。図１に示すように、ニードル収納孔１１ｄの反ノズルボディ側に第一プレート１６が設けられている。第一プレート１６には、ニードル収納孔１１ｄに連通している貫通孔１６ａと貫通孔１６ａと燃料流入通路１１ａとを連通しているオリフィス１６ｂとが形成されている。制御ピストン２０ａの端部外壁、ニードル収納孔１１ｄの内壁、及び貫通孔１６ａの内壁によって圧力室１６ｃが形成されている。第一プレート１６の反ニードルボディ側に第二プレート１８が設けられている。
【００２０】
第二プレート１８の反第一プレート側に第三プレート１７が設けられている。第二プレート１８の第三プレート側端面に弁座１８ａを平面状に形成している。第三プレート１７の外周部は雄ねじを形成しており、第三プレート１７がホルダボディ１１の筒状ねじ部１１ｇにねじ込まれることによって、第一プレート１６及び第二プレート１８が第三プレート１７とホルダボディ１１とに挟持されている。第三プレート１７には流体通路としての貫通孔１７ａ、１７ｂが形成されている。貫通孔１７ａの内壁にブシュ６０が圧入固定されている。ブシュ６０は、薄肉かつ高硬度の円筒部材である。ブシュ６０の端面と第二プレート１８の端面との間に弁室が形成される。第二プレート１８には圧力室１６ｃと貫通孔１７ａとを連通している導出通路１８ｂが形成されている。導出通路１８ｂは特許請求の範囲に記載された流体通路を構成している。第一プレート１６及び第二プレート１８の外壁とホルダボディ１１の内壁の間には周方向に隙間１１ｅが形成され、この隙間はリーク通路１１ｃと連通している。また、この隙間は、第三プレート１７の第二プレート側端面に形成されている凹部１７ｃを通じて貫通孔１７ａ、１７ｂに連通している。ホルダボディ１１の筒状ねじ部１１ｇ、第二プレート１８及び第三プレート１７は、特許請求の範囲に記載された電磁弁のハウジングに相当するものである。また、ノズルボディ１２、ホルダボディ１１、及び第一プレート１６は特許請求の範囲に記載されたノズル本体を構成している。
【００２１】
ステータ３１は受圧手段、挟持部材としての筒状のケース３３に収納されている。ケース３３の内径は、反弁座側で大きく、円錐傾斜面３３ｂにおいて弁座１８ａに近づくに従い小さくなる。ケース３３の外周には、円錐傾斜面３３ｂより弁座側にフランジ３３ａが形成されている。固定手段としてのリテーニングナット５２の内壁には位置決めフランジ３３ａに当接する段差面５２ａ（図５参照）が形成されている。ホルダボディ１１の端部に筒状に形成されている雄ねじ部１１ｇにリテーニングナット５２がねじ込まれることにより、位置決めフランジ３３ａが受圧手段としてのスペーサ１９とともにリテーニングナット５２と雄ねじ部１１ｇとに挟持され、ケース３３がホルダボディ１１に固定されている。スペーサ１９はその厚みによって制御弁部材４０の最大リフト量を調整している環状板体である。尚、スペーサ１９を設けることなく位置決めフランジ３３ａの厚みによって制御弁部材４０のリフト量を調整してもよい。また、位置決めフランジ３３ａと雄ねじ部１１ｇとの間にスペーサ１９に代えて皿バネを設け、組み付け後にリテーニングナット５２のねじ込み量を調整することにより制御弁部材４０のリフト量を調整可能な構成とすることもできる。ケース３３の反弁座側の開口部は係止手段としてのエンドボディ５３によって閉塞され、薄肉部３３ｃの縁部は径方向内側に折れ曲がりエンドボディ５３の溝５３ａと嵌合している。エンドボディ５３の外壁とリテーニングナット５２の内壁とは径方向に対向し、軸方向に対向していない。
【００２２】
エンドボディ５３のアーマチュア側端面にストッパ部材３５が当接している。ストッパ部材３５は筒部３５ｂと緩衝フランジ３５ａとからなる筒体である。筒部３５ｂの径方向外側に環状のステータ３１が設けられている。ステータ３１の内壁面３１ａとストッパ部材３５の外壁面との間には所定の周方向微小隙間が形成され、ステータ３１とストッパ部材３５とは直接的には結合されていない。ステータ３１は緩衝フランジ３５ａ側から大径部、テーパ部３１ｂ、小径部を形成している。大径部の端面３１ｃ（図４参照）は緩衝フランジ３５ａに当接し、大径部の外径と緩衝フランジ３５ａの外径とはほぼ等しい。ステータ３１のテーパ部外壁面はケース３３の円錐傾斜面３３ｂに当接している。ステータ３１の小径部にはボビン３４とボビン３４に巻回されたコイル３２とが樹脂により固定されている。コイル３２はコネクタ５０に延伸しているターミナル５１と電気的に接続されている。
【００２３】
制御弁部材４０は弁座１８ａ側から球状部材４０ａ、柱状部材４０ｂ、スプリング台座４０ｃにより構成されている。球状部材４０ａ、柱状部材４０ｂ、スプリング台座４０ｃは互いに圧入等により結合されるものであっても一体に形成されるものであっても別体に形成されて互いに当接しているものであってもよい。球状部材４０ａの一部は第二プレート１８に着座することにより導出通路１８ｂを閉塞可能な平面状に形成されている。柱状部材４０ｂはアーマチュア４１に圧入され、ブシュ６０の内壁によってアーマチュア４１とともに往復移動自在に支持されている。アーマチュア４１は第三プレート１７とステータ３１との間に設けられている。図３に示すように、アーマチュア４１のステータ側端面中央部に突出部４１ａが形成されている。この突出部４１ａはフルリフト時においてエアギャップＨを確保するためステータ側に５０μｍ程度突出している。突出部４１ａはストッパ部材３５の筒部３５ｂと同軸上に形成され、突出部４１ａの端面と筒部３５ｂの端面とは当接可能である。また、アーマチュア４１の突出部４１ａ以外の部分はステータ３１に当接しない。
【００２４】
図１に示すように、ストッパ３５ｂに第二スプリング３８が収納されている。第二スプリング３８は、一端がエンドボディ５３に圧入されているアジャスティングパイプ３７に当接し、他端がスプリング台座４０ｃに当接し、スプリング台座４０ｃ及び柱状部材４０ｂを介して球状部材４０ａを第二プレート１８側に付勢している。以上、インジェクタ１の構成を説明した。
【００２５】
次に、図４、５に基づいて、ケース３３、ステータ３１、ストッパ３５、エンドボディ５３、リテーニングナット５２がそれぞれどのように係合してホルダボディ１１に結合されるかを説明する。
【００２６】
ケース３３にコイル３２、ターミナル５１等が固定されたステータ３１が収納され、ステータ３１のテーパ部３１ｂがケース３３の円錐傾斜面３３ｂに当接し、ステータ３１がケース３３に対して同軸に位置決めされる。ステータ３１にストッパ３５が挿入され、ステータ３１の端面３１ｃにストッパ３５の緩衝フランジ３５ａが当接し、ステータ３１の内壁３１ａにストッパ３５の筒部３５ｂが支持され、ストッパ３５がステータ３１に対して同軸に位置決めされる。エンドボディ５３に形成されている図示しない孔にターミナル５１が挿入され、エンドボディ５３と緩衝フランジ３５ａとを当接させる。
【００２７】
この状態において、ケース３３の薄肉部３３ｃの縁部３３ｄはエンドボディ５３の溝５３ａに対応する位置に位置する。薄肉部３３ｃの縁部３３ｄを径方向内側に折り曲げてつぶし、ケース３３とエンドボディ５３とをかしめ固定する。薄肉部３３ｃの縁部３３ｄが折り曲げられると、エンドボディ５３がケース３３に挿入される方向（図４、５の下向き）に若干移動し、これにより緩衝フランジ３５ａ及びステータ３１がエンドボディ５３と同じ方向に移動する。かしめ固定によってエンドボディ５３から緩衝フランジ３５ａを介してステータ３１に働く図４、５の下向きの外力により、ステータ３１のテーパ部３１ｂはケース３３の円錐傾斜面３３ｂに押し当てられ、ステータ３１の軸方向位置がケース３３に対して固定される。また、緩衝フランジ３５ａはエンドボディ５３及びステータ３１に挟持される。
【００２８】
以上のようにしてステータ３１、ストッパ３５及びエンドボディ５３が組み付けられたケース３３は、スペーサ１９を間に挟んでホルダボディ１１の雄ねじ部１１ｇに挿入される。ケース３３及びエンドボディ５３にリテーニングナット５２をかぶせ、雄ねじ部１１ｇにリテーニングナット５２をねじ込むと、スペーサ１９及び位置決めフランジ３３ａは、リテーニングナット５２の段差面５２ａ及び雄ねじ部１１ｇの端面１１ｆによって挟持される。
【００２９】
リテーニングナット５２を雄ねじ部１１ｇにねじ込むことによってスペーサ１９をはさんで位置決めフランジ３３ａが雄ねじ部１１ｇの端面１１ｆに押し当てられると、ケース３３、ステータ３１、ストッパ３５及びエンドボディ５３がホルダボディ１１に対して位置決めされる。これにより、ホルダボディ１１に固定された第二プレート１８とステータ３１との間隔が固定され、制御弁部材４０の最大リフト量が設定される。
【００３０】
次に、インジェクタ１の燃料噴射作動を説明する。
燃料は、図示しない燃料噴射ポンプから吐出され図示しない蓄圧管に送出される。蓄圧管の蓄圧室で所定の圧力に蓄圧された高圧燃料はインレット部１１ｆに接続される図示しない配管を通じてインジェクタ１に供給される。また、図示しないＥＣＵにより、エンジンの運転条件に応じた駆動電流が生成され、コイル３２に供給される。コイル３２に駆動電流が流れるとステータ３１に吸引力が発生する。この吸引力及び圧力室１６ｃの燃料圧力から受ける力の合力である弁開方向の力が第二スプリング３８の付勢力を上回るとステータ３１にアーマチュア４１が吸引される。アーマチュア４１がステータ３１に吸引されるとアーマチュア４１とともに制御弁部材４０は弁開方向すなわち図１の上方に移動し、アーマチュア４１の突出部４１ａがストッパ３５の筒部３５ｂの端面に衝突することにより制御弁部材４０の移動が制限されフルリフト状態となる。球状部材４０ａが導出通路１８ｂを開放すると圧力室１６ｃが導出通路１８ｂを通じて低圧側の弁室に連通し、圧力室１６ｃから弁室に燃料が導出される。弁室に導出された燃料は、貫通孔１７ａ、１７ｂ、３１ａ、アジャスティングパイプ３７の内部空間等を通じて図示しない配管から燃料タンクに還流する。
【００３１】
圧力室１６ｃが弁室に連通すると、圧力室１６ｃはオリフィス１６ｂからの流入燃料量より導出通路１８ｂからの流出燃料量が多いため燃料圧力が低下し始める。圧力室１６ｃの燃料圧力が低下し、第一スプリング１５の付勢荷重及び圧力室１６ｃの燃料圧力から受ける力の合力である噴孔閉塞方向の力が燃料溜まり１２ｃの燃料圧力から受ける噴孔開放方向の力より小さくなるとニードル２０ｃは噴孔開放方向すなわち図１の上方に移動しはじめ弁座１２ａから離座する。ニードル２０ｃが弁座１２ａから離座すると噴孔１２ｂから燃料が噴射される。
【００３２】
コイル３２への駆動電流の供給が遮断されると、ステータ３１の吸引力が消滅するため第二スプリング３８は圧力室１６ｃの燃料圧力から受ける力に抗って制御弁部材４０を弁閉方向に移動させる。球状部材４０ａによって導出通路１８ｂが閉塞された後にも圧力室１６ｃにオリフィス１６ｂから燃料が流入し続けるため、圧力室１６ｃの燃料圧力は上昇し始める。圧力室１６ｃの燃料圧力が上昇し、第一スプリング１５の付勢荷重及び圧力室１６ｃの燃料圧力から受ける力の合力である噴孔閉塞方向の力が燃料溜まり１２ｃの燃料圧力から受ける噴孔開放方向の力より大きくなるとニードル２０ｃは噴孔閉塞方向すなわち図１の下方に移動しはじめる。ニードル２０ｃが弁座１２ａに着座すると燃料噴射が終了する。以上、インジェクタ１の燃料噴射作動を説明した。
【００３３】
本発明の一実施例によるインジェクタ１によると、リテーニングナット５２がねじ回されることにより位置決めフランジ３３ａに作用する外力は、端面３３ｅと端面３３ｆとの間に圧縮応力を生じさせるものの、薄肉部３３ｃに実質的に及ぶことはない。これにより、リテーニングナット５２がねじ回されることにより位置決めフランジ３３ａに作用する外力がステータ３１に伝達されることはない。したがって、制御弁部材４０が作動していない状態においてステータ３１に作用する実質的な外力は、ケース３３の縁部３３ｄがかしめられていることによってストッパ３５がノズルボディ側にステータ３１を押す力と円錐傾斜面３３ｂから受ける抗力のみである。ステータ３１がエンドボディ５３から受ける外力は軸方向に作用するところ、図５に示すように、テーパ部３１ｂの外径及び円錐傾斜面３３ｂにおけるケース３３の内径はステータ３１が押しつけられる方向、すなわちノズルボディ側にむかって小さくなっているため、ステータ３１のテーパ部３１ｂの特定部位に応力が集中しない。また、ケース３３とステータ３１とをかしめ固定することによりステータ３１に作用する外力は、リテーニングナット５２がねじ回されることにより位置決めフランジ３３ａに作用する外力に比べて極めて小さい。また、ステータ３１は他のどの部材とも溶接されていないため、組み付け時にステータ３１に熱負荷がかからない。
【００３４】
また、本発明の一実施例によるインジェクタ１によると、ストッパ３５の筒部３５ｂの端面にアーマチュア４１の突出部４１ａを当接させることにより制御弁部材４０の最大リフト量を設定している。突出部４１ａが筒部３５ｂに衝突することによりストッパ３５に作用する衝撃荷重は、緩衝フランジ３５ａからエンドボディ５３を介してケース３３に伝達され、ケース３３の位置決めフランジ３３ａからリテーニングナット５２を介してホルダボディ１１に伝達される。しかし、ストッパ３５はステータ３１に挿入されているだけで直接的にはいずれの部位においてもステータ３１に結合されていないため、この衝撃荷重はステータ３１に伝達されない。
【００３５】
以上のことから、本発明の一実施例によるインジェクタ１によると、ステータ３１にかかる静的な荷重が小さく、またステータ３１に衝撃荷重がかからないため、比較的低靱性の素材をステータ３１に用いることができる。また、ステータ３１は他の部材と溶接されないため、耐熱性の低い素材をステータ３１に用いることができる。したがって、ステータ３１に用いる素材の種類を広げることができる。
【００３６】
本実施例において、ケース３３とエンドボディ５３とをかしめ固定することにより、ケース３３、ステータ３１、ストッパ３５及びエンドボディ５３を互いに係止しているが、径方向にねじ込まれるねじ棒等によりケース３３とエンドボディ５３とを係止してもよい。
また、本実施例において、ストッパ３５にアーマチュア４１を当接させて制御弁部材４０の最大リフト量を設定しているが、制御弁部材４０の筒状部材４０ｂ等にフランジを設け、このフランジをホルダボディ１１に対して位置決めされた部材に当接させることにより制御弁部材４０の最大リフト量を設定してもよい。この場合、ストッパ３５は不要となる。
また、本実施例において、ケース３３とステータ３１とは直接的に係合していないが、かしめ、ねじ止め等によりケース３３にステータ３１を直接的に係合させてもよい。
【図面の簡単な説明】
【図１】本発明の一実施例によるインジェクタの電磁弁に係る部分を示す断面図である。
【図２】本発明の一実施例によるインジェクタを示す断面図である。
【図３】本発明の一実施例に係るアーマチュアの形状を説明するための模式図である。
【図４】本発明の一実施例によるインジェクタの組み付け手順を説明するための部分断面図である。
【図５】本発明の一実施例によるインジェクタの組み付け手順を説明するための部分断面図である。
【図６】従来の電磁弁を示す断面図である。
【符号の説明】
１    インジェクタ（燃料噴射装置）
１１    ホルダボディ（ノズル本体）
１２    ノズルボディ（ノズル本体）
１２ｂ    噴孔
１６ｃ    圧力室
１６    第一プレート（ノズル本体）
１７    第三プレート（ハウジング）
１７ａ、１７ｂ    貫通孔（流体通路）
１８    第二プレート（ハウジング）
１８ａ    弁座
１８ｂ    導出通路（流体通路）
１９    スペーサ（受圧手段）
２０    ノズル弁部材
３１    ステータ
３１ｂ    テーパ部
３２    コイル
３３    ケース
３３ａ    位置決めフランジ（受圧手段）
３３ｂ    円錐傾斜面
３３ｃ    薄肉部（挟持部材）
３５    ストッパ（ストッパ部材）
３５ａ    緩衝フランジ
４０    制御弁部材
４１    アーマチュア
４１ａ    突出部
５０    コネクタ
５１    ターミナル
５２    リテーニングナット（固定手段）
５３    エンドボディ（係止手段）
【図１】
0003631413.tif 000002
【図２】
0003631413.tif 000003
【図３】
0003631413.tif 000004
【図４】
0003631413.tif 000005
【図５】
0003631413.tif 000006
【図６】
0003631413.tif 000007